(57)【要約】【課題】Ｄ環等の連結対象の移動範囲を規制して、外まわりに臨む操作部に連結対象による押し戻し力が及ぶのを防止できるようにする。【解決手段】基部３からフック部４と軸部５とが立ち上がって、それら先端部４ａ、先端５ａが対向してフック部４の開放部６をなした本体７、軸部５にフック部４の先端部４ａ側から収容され軸部５のスライド溝８ａを通じ操作部９を外方に臨ませた係止ピン１１、係止ピン１１をフック部４の先端部４ａに当接するよう付勢し開放部６を閉じるばね１２を備え、本体７は、基部３から軸部５およびフック部４の立ち上がり間においてフック部４の連結対象１３との連結域１４側に延びて、フック部４の連結対象１３との先端部４ａからの連結域１４と基部３側への遊びとを規制し、開放部６に繋がって連結対象１３を出入りさせる規制窓１５を形成した規制壁部１０を有して、上記の目的を達成する。【選択図】図１
2012016337.tif 000002
【特許請求の範囲】
【請求項１】
基部環が回転自在に連結された基部からフック部と筒状の軸部とが一体に立ち上がって、軸部がフック部の先端部と対向してフック部の開放部を形成している本体と、この本体の軸部にフック部の先端側から収容されて軸部周壁のスライド溝を通じ操作部を外方に臨ませた係止ピンと、この係止ピンをフック部の先端に当接するよう付勢して前記開放部を閉じた位置に保持するばねとを備え、本体は、前記基部から前記軸部およびフック部の立ち上がり間においてフック部の連結対象との連結域側に延びて、フック部の連結対象との先端部からの連結域と基部側への遊びとを規制し、かつ、前記開放部に繋がって連結対象を出入りさせる規制窓を形成した規制壁部を有したことを特徴とする動物用の連結具。
【請求項２】
フック部の先端部と係止ピンの先端部とは、それらの連続する軸線に対する直交方向に対して、外輪郭から内輪郭に向けフック部の連結域側に傾いた割線をなして当接し合っている請求項１に記載の動物用の連結具。
【請求項３】
規制壁部は、軸部と切り離す切り込みを、軸部の先端側から基部側に形成した請求項１、２のいずれか１項に記載の動物用の連結具。
【請求項４】
本体は、基部、フック部、軸部、および係止ピンによって左右対称なほぼ楕円形の輪郭をなし、係止ピンの閉じ位置に対応して操作部は本体輪郭の中央最大幅部から基部側寄りに位置する請求項１〜３のいずれか１項に記載の動物用の連結具。
【発明の詳細な説明】
【技術分野】
【０００１】
本発明は、主として犬や猫などの動物への装着帯、装着衣に設けられた連結環に、引き紐や係留紐側を連結するのに用いられる動物用の連結具に関する。
【背景技術】
【０００２】
このような連結具は、一般にナス環と称され動物用のほか、カバン類用などとして広く知られている。従来、動物用では、引き紐や係留紐側の連結具としてそれらの先端に連結され、動物への装着帯や装着衣に起伏できるように設けられた通常Ｄ環といわれる連結環（下記特許文献１の図９参照）に連結して用いられる。この連結のために連結具(以下ナス環という)は、一般に、下記特許文献１が開示するように、軸部からフック部が延び、このフック部の先端が前記軸部に対向してフック部の開放部を形成している。この開放部は、前記軸部にフック部の先端側から収容されてフック部の先端側にばねで付勢係止ピンがフック部の先端に当接することで常閉とし、係止ピンから軸部に設けた軸線方向のスライド溝を通じ外部に突出した操作部による操作で、係止ピンを後退させて前記開放部を開き、Ｄ環などに連結したり、連結を解除したりできるようにしている。
【０００３】
しかし、特許文献１に開示のように、動物の引き連れ中や係留中、動物が何かに驚いたり、興味を示して異常な動きをする際にナス環とＤ環とが拗れ、Ｄ環がナス環の操作部を押動し係止ピンを後退させてしまい、フック部の開放部が開いてＤ環との連結が不用意に外れる問題がある。これに対応するのに特許文献１は、ナス環とＤ環との間に仲介リングを連結することで、ナス環とＤ環との間の自由度を高めて相互が拗れにくくして、ナス環が不用意に開放されるのを防止する技術を開示している。
【０００４】
一方、下記の特許文献２は、係止ピンの開放部に対する半開位置にてスライド溝の途中から分岐したスライド溝に平行なロック溝を設け、係止ピンの回動を伴い操作部をスライド溝からロック溝に導き、ロック溝に沿った操作部の移動を伴い係止ピンがフック部の先端に当接する閉じ位置となるようにした技術を開示している。これにより、操作部が閉じ位置から押し戻されても半開位置までであり、Ｄ環などとの連結が不用意にはずれにくくなる。
【先行技術文献】
【特許文献】
【０００５】
【特許文献１】特開２００６−１４１２０５号公報
【特許文献２】特開２００９−７２０８０号公報
【発明の概要】
【発明が解決しようとする課題】
【０００６】
ところが、特許文献１が開示する技術は、ナス環とＤ環との間に仲介リングを連結するだけの構造で、相互間の捻じれ量によっては拗れが生じ、ナス環が不用意に開かれるのを回避しきれる確証はない。また、特許文献２が開示する技術も、ナス環が半開状態になった状態で、操作部をロック溝からスライド溝に戻して前回位置まで押し戻されることは回避しきれるとはいえない。
【０００７】
本発明は、このような問題点に鑑み、Ｄ環等の連結対象の移動範囲を規制して、外まわりに臨む操作部に連結対象による押し戻し力が及ぶのを防止できる動物用の連結具を提供することを目的とする。
【課題を解決するための手段】
【０００８】
上記の目的を達成するために、本発明の動物用の連結具は、基部環が回転自在に連結された基部からフック部と筒状の軸部とが一体に立ち上がって、軸部がフック部の先端部と対向してフック部の開放部を形成している本体と、この本体の軸部にフック部の先端側から収容されて軸部周壁のスライド溝を通じ操作部を外方に臨ませた係止ピンと、この係止ピンをフック部の先端に当接するよう付勢して前記開放部を閉じた位置に保持するばねとを備え、本体は、前記基部から前記軸部およびフック部の立ち上がり間においてフック部の連結対象との連結域側に延びて、フック部の連結対象との先端部からの連結域と基部側への遊びとを規制し、かつ、前記開放部に繋がって連結対象を出入りさせる規制窓を形成した規制壁部を有したことを特徴としている。
【０００９】
このような構成では、本体は、フック部および軸部が基部から一体に立ち上がって、フック部をＤ環などの連結対象に連結したり、係止ピンの操作部を操作したりする取り扱いや負荷に対応した大きさとされるのに対し、本体の基部側から軸部およびフック部間をフック部の連結対象との連結域側に延びる規制壁部が、フック部の連結域との間に規制窓を形成することで、規制窓の開口域にフック部の係止ピンが後退して開かれた開放部を通じ連結対象の連結部を受け入れ、フック部の連結域への連結を可能にしながら、係止ピンが閉じ位置に復帰した連結後の連結対象のフック部内での動きを本体輪郭域内のフック部の連結域側に片寄って規制して、連結対象が操作部に当接して係止ピンを押し戻すような働きを防止することができる。
【００１０】
上記において、さらに、フック部の先端部と係止ピンの先端部とは、それらの連続する軸線に対する直交方向に対して、外輪郭から内輪郭に向けフック部の連結域側に傾いた割線をなして当接し合っているものとすることができる。
【００１１】
このような構成では、上記に加え、さらに、フック部の先端部と係止ピンの先端部とがそれらの軸線の直交方向を基準にフック部の連結域側に傾いた割線をなして当接し合うことで、係止ピンの先端部に連結対象による外側への負荷が働いてもフック部の先端に受け止められるし、係止ピンが後退して開く係止ピンおよびフック部の先端間の開放域は、フック部の連結域側に傾く経路をなして規制窓に繋がり、規制窓がよりフック部の連結域側に片寄って連結対象の連結域に対する出入りができるようになる。
【００１２】
上記において、さらに、規制壁部は、軸部と切り離す切り込みを、軸部の先端側から基部側に形成したものとすることができる。
【００１３】
このような構成では、上記に加え、さらに、規制壁部は軸部およびフック部間を基部側からフック部の連結域側に延びて連結後の連結対象の移動を規制するが、軸部との間を切り離すように軸部の先端側から基部側に形成した切り込みによって、係止ピンをフック部の先端に寄って邪魔されない位置に収容した軸部を、その先端がフック部先端部と対向するように曲げ加工する際に邪魔にならないようにすることができる。
【００１４】
上記において、さらに、本体は、基部、フック部、軸部、および係止ピンによって左右対称なほぼ楕円形の輪郭をなし、係止ピンの閉じ位置に対応して操作部は本体輪郭の中央最大幅部から基部側寄りに位置するようにしたものとすることができる。
【００１５】
このような構成では、上記に加え、さらに、操作部は、何らかの原因で連結対象による押動が万一働いても、本体の輪郭の幅狭となる基部側に向け移動するので、連結対象の押動から逃げやすくなる。
【００１６】
本発明のそれ以上の目的および特徴は、以下の詳細な説明および図面によって明らかになる。本発明の特徴は、それ単独で、あるいは可能な限り種々に複合して採用することができる。
【発明の効果】
【００１７】
本発明の動物用の連結具によれば、フック部および軸部が基部から一体に立ち上がって、フック部をＤ環などの連結対象に連結したり、係止ピンの操作部を操作したりする取り扱いや負荷に対応した大きさとされる本体において、その基部側からフック部の連結対象との連結域側に延びる規制壁部がフック部の連結域との間に形成する規制窓によって、この規制窓の開口域にフック部の開かれた開放部を通じ連結対象の連結部を受け入れ、フック部の連結域への連結を可能にしながら、係止ピンが開放部を閉じた連結後の連結対象のフック部内での動きをフック部の連結域側に片寄って規制することにより、連結対象が操作部に当接して係止ピンを押し戻すような働きを防止し、フック部の開放部が不用意に開かれ連結対象との連結が外れるのを回避することができる。
【００１８】
上記に加え、さらに、フック部の先端部と係止ピンの先端部とがそれらの軸線の直交方向を基準にフック部の連結域側に傾いた割線をなして当接し合って、係止ピンの先端部に連結対象による外側への負荷が働いてもフック部の先端に受け止められ、フック部と協働して負荷に対応できるので、係止ピンおよび軸部が徒に過大になるのを防止することができる。また、係止ピンが後退して開放部を開く係止ピンおよびフック部の先端間の開放経路が、フック部の連結域側に傾いて規制窓に繋がり、規制窓がよりフック部の連結域側に片寄って連結対象の連結域に対する出入りができるようになるので、連結対象の出入りのために規制窓が本体の基部側に大きくなるのを回避し、連結対象を十分に移動規制することができる。
【００１９】
上記に加え、さらに、規制壁部は軸部およびフック部間を基部側からフック部の連結域側に延びて連結後の連結対象の移動を規制するが、軸部との間を軸部の先端側から基部側への切り込みによる切り離しにて、係止ピンを収容した軸部をその先端がフック部先端部と対向させるのを邪魔せず、軸部単独で容易かつ簡単に曲げ加工することができる。
【００２０】
上記に加え、さらに、操作部は、何らかの原因で連結対象による押動が万一働いても、本体の輪郭の幅狭となる基部側に向け移動するので、連結対象の押動から逃げやすく、不用意な連結外れを防止しやすい。
【図面の簡単な説明】
【００２１】
【図１】本発明の実施の形態にかかる動物用の連結具の１つの具体例を示し、（ａ）は一部を断面して見た正面図、（ｂ）は縦断面図、（ｃ）は横断面図、（ｄ）は右側面図、（ｅ）は左正面図、（ｆ）は係止ピンの側面図。
【発明を実施するための形態】
【００２２】
本発明の実施の形態に係る主として引き紐や係留紐類の先端に接続して用いられる猫や犬など小動物用の連結具につき、図１に示す具体例を参照しながら詳細に説明し、本発明の理解に供する。本実施の形態は本発明の具体例であって、特許請求の範囲の記載を限定するものではない。
【００２３】
図１に示す本実施の形態の動物用の連結具１００は、基部環１が軸２まわりに回転自在に連結された基部３からフック部４と筒状の軸部５とが一体に立ち上がって、軸部５がフック部４の先端部４ａと対向してフック部４の開放部６を形成している本体７と、この本体７の軸部５にフック部４の先端部４ａ側から収容されて軸部５の周壁のスライド溝８ａを通じ操作部９を外方に臨ませた係止ピン１１と、この係止ピン１１をフック部４の先端部４ａに当接するよう付勢して前記開放部６を閉じた位置に保持するばね１２とを備えた基本構成を有している。本発明の主たる目的を達成するために、本体７は、特に、前記基部３から前記軸部５およびフック部４の立ち上がり間においてフック部４の連結対象１３との連結域１４側に延びて、フック部４の連結対象１３との先端部４ａからの連結域１４と基部３側への遊びとを規制し、かつ、前記開放部６に繋がって連結対象１３を出入りさせる規制窓１５を形成した規制壁部１０を有している。
【００２４】
このような連結具１００は、基部環１に図１（ａ）に仮想線で例示する引き紐１６や図示しない係留紐類に接続して本体７と連結され、本体７はそのフック部４を図１（ａ）に仮想線で例示する首輪１７などの装着帯や図示しない装着衣に設けられる図１（ａ）に仮想線で例示するＤ環１８などの連結環に連結して、動物の引き連れや係留に用いられる。使用中、つまり、動物の引き連れ中や係留中に、動物が何らかに驚いたり、興味を持って異常な動きをすると、連結具１００とＤ環１８等との間に捻じれとそれによる拗れが生じやすくなる。しかし、捻じれによる拗れは、フック部４に対しＤ環１８との軸線の間に傾き（これを以下拗れ角という）があることで捻じれが基部環１の自由回転によって吸収されにくくなって生じやすく、本体７とＤ環１８とが、それらの軸線が拗れ角を持ったまま捻じれようとする。
【００２５】
このとき、従来のフック部のようにＤ環との移動自由度が高いと、却ってその自由移動範囲で双方が拗れ角の影響で互いの拗れを増していき、その拗れ方向、拗れ状態によっては自由度なくほぼ必然的に、Ｄ環のフック部の外側に位置する部分が先行する状態で操作部に当接して係止ピンを押し戻す働きをすることが低い確率ではあるが生じる。このときのＤ環の動きはＤ環のフック部の内側に位置する部分が後行部となってフック部の内周側湾曲形状に案内されフック部の開放部に向かうことになる。この結果、先行部が係止ピンを後退させて開放部を開くのに続いて後行部が開かれた開放部からフック部の外に抜けてしまい、フック部のＤ環との連結が不用意に外れる結果を招く。
【００２６】
本実施の形態の上記連結具１００では、本体７が、フック部４および軸部５が基部３から一体に立ち上がって、フック部４をＤ環１８などの連結対象に連結したり、係止ピン１１の操作部９を操作したりする取り扱いや負荷に対応した大きさとされるのに対し、本体７の基部３側から軸部５およびフック部４間をフック部４のＤ環１８などのとの連結域１４側に延びる規制壁部１０が、フック部４の連結域１４との間に規制窓１５を形成することで、規制窓１５の開口域にフック部４の係止ピン１１が後退して開かれた開放部６を通じＤ環１８などを受け入れ、フック部４の連結域１４への連結を可能にしながら、係止ピン１１が閉じ位置に復帰した連結後のＤ環１８などのフック部４内での動きを本体７の図１（ａ）に見られる輪郭域内のフック部４の連結域１４側に片寄って規制して、Ｄ環１８などが操作部９に当接して係止ピン１１を押し戻すような働きを防止することができる。
【００２７】
結果、フック部４および軸部５が基部３から一体に立ち上がって、フック部４をＤ環１８などの連結対象１３に連結したり、係止ピン１１の操作部９を操作したりする取り扱いや負荷に対応した大きさとされる本体７において、その基部３側からフック部４の連結対象１３との連結域１４側に延びる規制壁部１０がフック部４の連結域１４との間に形成する規制窓１５によって、この規制窓１５の開口域にフック部４の開かれた開放部６を通じ連結対象１３の連結部を受け入れ、フック部４の連結域１４への連結を可能にしながら、係止ピン１１が開放部６を閉じた連結後の連結対象１３のフック部４内での動きをフック部４の連結域１４側に片寄って規制することにより、連結対象１３が操作部９に当接して係止ピン１１を押し戻すような働きを防止し、フック部４の開放部６が不用意に開かれ連結対象１３との連結が外れるのを回避することができる。
【００２８】
これを図示例に基づいて詳述すると、基部環１は本体７の基部３上の、フック部４の連結域１４の中心位置と反対側位置に同心に設けた軸２によって回転自在に連結されており、動物の引きまわしや係留時の動物の動きを制限する状態では、通常、Ｄ環１８と基部環１との間には引き紐１６などの引っ張りによる張力が働き、それらの軸線Ａ、Ｂ、Ｃは図１（ａ）に示すようにほぼ同一線上に並ぶ。これは、基部環１、フック部４、Ｄ環１８などの湾曲による張力に対する求心性によるもので、このような直線配列での引き紐１６などとＤ環１８などとの間に捻じれが生じても、基部環１と本体７との間の軸２まわりの回転で吸収される。
【００２９】
しかし、動物側の異常な動きで、フック部４の軸線Ｂに対しＤ環１８の軸線Ｃが、例えば、図１（ａ）に示すＣ１、Ｃ２、Ｃ３に示すように開放部６の側に傾斜する拗れ角θを持つ状態では、その拗れ角θが大きい程、Ｄ環１８の回転によって捻じれが吸収されにくくなり、この場合の捻じれが一瞬に生じる場合はさらに吸収されにくくなる。このように捻じれが吸収されない分だけ、フック部４とＤ環１８とが捻じれ方向に応じた捻じれ姿勢で互いの湾曲部の軸線Ｃ両側の表裏に分かれる２点Ｅ、Ｆ間で圧接し合い、フック部４はＤ環１８の中心側に、Ｄ環１８はフック部４の中心側にそれぞれ移動して、つまり近寄り合うように拗れを増そうとするし、フック部４が位置する平面に対して、Ｄ環１８の軸線Ｃがフック部４の連結域１４のフックラインまわりおよび係止ピン１１の軸ラインまわりに、つまりＨ方向に裏側に回り込み、回り込み角βが９０°に近づくほど、さらに具体的には、図１（ａ）に実線で示す表側圧接点Ｅがフック部４の外周側に寄り、破線で示す圧接点Ｆがフック部４の内周側に寄るほど、Ｄ環１８はフック部４および係止ピン１１との間の捻じれに原因した拗れによって圧接点Ｅ、Ｆにてフック部４の連結域１４および係止ピン１１双方または一方の湾曲に沿って、これら湾曲に応じたそれらの近寄りを伴い、操作部９側に必然的に案内される傾向性を示す。このような傾向性は、従来の場合と共通している。
【００３０】
しかし、本実施の形態に係る連結具１００の具体例では、Ｄ環１８の、フック部４および係止ピン１１に対する捻じれが原因しての拗れによって、フック部４および係止ピン１１側への近寄りが規制窓１５内に規制され、それ以上には規制壁部１０に当接してフック部４および係止ピン１１側に近寄れない。図１（ａ）に示す回り込み角βがない状態での、Ｄ環１８の軸線Ｃ１まわりの捻じれ、軸線Ｃ２まわりの捻じれによっては、Ｄ環１８は、フック部４およびＤ環１８双方の湾曲による案内によって、それらの軸線Ｃ１、Ｃ２に沿ってフック部４側に近付こうとするが、早期に規制壁部１０に当接してそれ以上拗れが進まないので、操作部９側に案内されるにしても操作部９に当接して押し戻すには至らない。軸線Ｃ３まわりの捻じれによっては、Ｄ環１８は、どちらかというと曲率の小さなＤ環１８側の湾曲の案内によって、フック部４および係止ピン１１の側に近付くが、やはり早期に規制壁部１０に当接して拗れが進行しなくなるし、操作部９側への移動も規制壁部１０によって阻止されるので、操作部９に当接して押し戻すには至らない。
【００３１】
次いで、Ｄ環１８がＣ１、Ｃ２の軸線位置で、フック部４のフックラインまわりおよび係止ピン１１の軸ラインまわりの回り込み角βを持つ拗れ姿勢では、βが９０°に近付くほど、それらの双方または一方側の湾曲による拗れ時に受ける操作部９側への案内力が強く働くが、破線で示すＣ３の軸線位置まで移動したとすると、破線で示すＧ方向の捻じれによってフック部４に先行部１８ａ側で働く拗れ力Ｒの操作部９側へ移動させる案内分力Ｒ１としては小さく、後行部１８ｂ側で働く拗れ力Ｒの操作部９側へ移動させる案内分力としてはほぼ０となるので、Ｄ環１８は操作部９側に殆ど移動されなくなり、操作部９を押し戻すには至らない。換言すると、Ｄ環１８は、規制壁部１０が形成している規制窓１５によってフック部４と連結し合う連結域１４が図示する範囲に規制されているといえる。なお、拗れ力なしにＤ環１８が操作部９の側に移動したり反転し操作部９に接触したりしてもフック部４との間に拘束力が働かないフリーな状態であるので、操作部９を押し戻す働きはしない。
【００３２】
図示例では、フック部４の先端部４ａと係止ピン１１の先端部１１ａとは、図１（ａ）に示すように、それらのフックラインおよび軸ラインが連続する軸線に対する直交方向に対して、外輪郭から内輪郭に向けフック部４の連結域１４側に傾いた割線をなして当接し合うようにしている。このように、フック部４の先端部４ａと係止ピン１１の先端部１１ａとがそれらの軸線の直交方向を基準にフック部４の連結域１４側に傾いた割線をなして当接し合うことで、係止ピン１１の先端部１１ａにＤ環１８などの連結対象１３による外側への負荷が働いてもフック部４の先端部４ａに受け止められるし、係止ピン１１が後退して開く係止ピン１１およびフック部４の先端間の開放域は、フック部４の連結域１４側に傾く経路をなして規制窓１５に繋がり、規制窓１５がよりフック部４の連結域１４側に片寄って連結対象１３の連結域１４に対する出入りができるようになる。これにより、連結対象１３の出入りのために規制窓１５が本体７の基部３側に大きくなるのを回避し、連結対象１３を十分に移動規制することができる。
【００３３】
規制壁部１０は、軸部５と切り離す切り込み２１を、軸部５の先端５ａ側から基部５ｂ側に形成してある。既述したように、規制壁部１０は軸部５およびフック部４間を基部５ｂ側からフック部４の連結域１４側に延びて連結後のＤ環１８などの連結対象１３の移動を規制するが、軸部５との間を切り離すように軸部５の先端５ａ側から基部５ｂ側に形成した切り込み２１によって、係止ピン１１をフック部４の先端に寄って邪魔されない位置に収容した軸部５を、その先端５ａがフック部４の先端部４ａと対向するように曲げ加工する際に邪魔にならないようにすることができる。これは、本体７を一体に型成形する場合の対応で、当初より先端５ａ、先端部４ａどうしが同一軸線上で対向し合っていると、係止ピン１１を軸部５に後付けできないので、係止ピン１１の後付けができるように先端５ａ、先端部４ａどうしが対向し合わないように側方へずらせて成形して置くことにより、係止ピン１１をばね１２と共に軸部５に収容してから、先端５ａ、先端部４ａどうしが対向し合うように軸部５を曲げ加工するのに、規制壁部１０との繋がりなく単独で容易に曲げ加工できるようになる。しかし、この位置ずれは、フック部４の側で行っておくこともでき、フック部４の連結域１４から先端部４ａまでの範囲での捻りによって対応すれば、切り込み２１は特に不要となる。また、本体７を表側および裏側とに２分して成形し、係止ピン１１およびばね１２を挟み込んで一体化するようにしても、このような切り込み２１を設ける必要はない。
【００３４】
また、図１（ａ）に示すように、本体７は正面視または裏面視して、基部３、フック部４、軸部５、および係止ピン１１によって左右対称なほぼ楕円形の輪郭をなし、係止ピン１１の閉じ位置に対応して操作部９は本体輪郭の中央最大幅部Ｓから基部３側寄りに位置するようにしている。これにより、操作部９は、何らかの原因でＤ環１８などの連結対象１３による押動が万一働いても、本体２の輪郭の幅狭となる基部３側に向け移動するので、連結対象１３の押動から逃げやすくなる。また、図示例での本体７の楕円形の輪郭は、基部３側および連結域１４側が長径方向での曲率の小さな焦点位置になっているので、前記中央最大幅部Ｓからの幅狭度を高めており、前記操作部９の連結対象１３からの押動に対する逃げ特性を高めているし、連結対象１３のフック部４上への連結域１４をより小さな範囲に制限するのに併せ、引き紐１６類との間の張力による中心位置への求心性を高められ、これにより、捻じれによる拗れが生じにくくできる。
【００３５】
さらに詳述すると、規制壁部１０は図１（ａ）（ｂ）（ｃ）に示すように、基部３、フック部４、軸部５の表裏両側からの窪み部２２をなして側面視した図１（ｂ）（ｃ）に示す中央位置にあるように、まわりよりも厚みを小さく形成されている。本体７は図１（ｂ）（ｄ）（ｅ）に示すように基部３からフック部４の連結域１４に向かって先細りとなる形態に形成され、規制壁部１０は連結域１４の側面視した厚みのほぼ１／３程度の厚みとしてある。これは、Ｄ環１８などの連結対象１３の拗れ力に十分対応して、しかも本体７が規制壁部１０のために徒に重くかさ高になるのを回避するようにしている。
【００３６】
また、係止ピン１１は、図１（ａ）（ｃ）に示すように、軸部５に収容される本体部１１ｂと、この本体部１１ｂから軸部５の内側および外側に形成したスライド溝８ａ、８ｂに嵌り合うリブ１１ｃ、１１ｄを有し、長い方向への曲げ強度を高めている。これによって、係止ピン１１にＤ環１８などの連結対象１３との間の張力が作用しても、前記フック部４と協働しての受け止めと、自身の十分な曲げ強度とで強度保証しやすくしている。操作部９は、係止ピン１１の外側のリブ１１ｄの下部に係止ピン１１の下端よりも図１（ａ）（ｆ）に示すように下方に張り出すように一体成形してある。これによって、操作部９が本体７の中央最大幅部Ｓよりも基部３側、つまり下方に位置させやすくしている。操作部９は、図１（ａ）（ｃ）（ｄ）に示すように、リブ１１ｄに一体に繋がる裏面が本体７の輪郭に沿うように、図１（ａ）（ｆ）に示す本体７の長径方向、および図１（ｃ）に示す表裏方向に湾曲するように形成して、本体７への近接度を高め、表面側が楕円体面をなしてかさ低く、扁平に張り出す形状として、操作の手掛かりを十分にしながら、その本体７に対する位置的条件に併せ、Ｄ環１８などの連結対象１３が拗れをなしての引っ掛かりを回避しやすくしている。操作の手掛かりをよくするために、操作部９の表面に複数の引っ掛かり凸部や凸条、凹状を形成することができ、これらの表面への突出度や配列密度、形態によって連結対象１３が引っ掛かりやすくなるのを防止できる。それには、突出度が小さく、かつ連結対象１３が入り込み、引っ掛かる間隔未満とするのが好適である。また、連結対象１３が入り込み、引っ掛かる大きさ未満の凹状であれば、配列密度は関係しない。なお、規制壁部１０は、図１（ａ）に仮想線で示すように連結域１４側にさらに張り出させて、連結対象１３に対する動きの規制度を高めても、連結対象１３の開放部６を通じた連結域１４に対する掛け外しを損なわなければよい。
【産業上の利用可能性】
【００３７】
本発明は、動物への装着帯や装着衣に設けられる連結具において、Ｄ環などの連結対象との捻じれが原因しての拗れによって係止ピンが不用意に押し戻されて連結対象との連結が外れるのを防止できる技術である。
【符号の説明】
【００３８】
１  基部環
２  軸
３  基部
４  フック部
４ａ  先端部
５  軸部
５ａ  先端
５ｂ  基部
６  開放部
７  本体
８ａ、８ｂ  スライド溝
９  操作部
１０  規制壁部
１１  係止ピン
１１ａ  先端部
１２  ばね
１３  連結対象
１４  連結域
１５  規制窓
１６  引き紐
１７  首輪
１８  Ｄ環
２１  切り込み
【図１】
2012016337.tif 000003